(57)【要約】【課題】従来の私の赤ちゃん日記では、乳児が誕生してからの生活リズムを視覚的に容易に認識できるものはなかった。【解決手段】日付を記入する日付記入部及び横軸を１日分の時間軸とし単位時間ごとのマス目に区画された生活パターン記入部からなる一日生活記録欄が、前記時間軸を揃えて複数欄、用紙内に縦方向に配列されており、前記各一日生活記録欄は、乳児の睡眠時間帯を記入する睡眠時間記入行、乳児の授乳時刻を記入する授乳時刻記入行、乳児の排尿時刻を記入する排尿時刻記入行、及び乳児の排便時刻を記入する排便時刻記入行を備えた構成にした。それらをマークすることで、乳児の生活パターンがカレンダー上に図形的に現され、母親は乳児の生活リズムを視覚的に容易に認識することができ、カレンダーを見ることによって意志の推測が容易となるため、母親が休憩をとる時間などを計画することができ、育児負担が緩和される。【選択図】図１
2007008141.tif 000002
【特許請求の範囲】
【請求項１】
乳児の生活パターンを記録するための育児用生活リズムカレンダーであって、日付を記入する日付記入部及び横軸を１日分の時間軸とし単位時間ごとのマス目に区画された生活パターン記入部からなる一日生活記録欄が、前記時間軸を揃えて複数欄、用紙内に縦方向に配列されており、前記各一日生活記録欄は、乳児の睡眠時間帯を記入する睡眠時間記入行、乳児の授乳時刻を記入する授乳時刻記入行、及び乳児の排泄時刻を記入する排泄時刻記入行を備えていることを特徴とする育児用生活リズムカレンダー。
【請求項２】
前記排泄時刻記入行は、乳児の排尿時刻を記入する排尿時刻記入行、及び乳児の排便時刻を記入する排便時刻記入行からなることを特徴とする請求項１記載の育児用生活リズムカレンダー。
【請求項３】
１つの用紙又は見開き２ページ内に、少なくとも１５欄分の前記一日生活記録欄が、前記時間軸を揃えて用紙内に縦方向に配列されていることを特徴とする請求項１又は２記載の育児用生活リズムカレンダー。
【請求項４】
前記一日生活記録欄の単位時間ごとのマス目内には、当該マスに対応する時刻が記載されていることを特徴とする請求項１乃至３の何れか一記載の育児用生活リズムカレンダー。
【請求項５】
前記複数欄の一日生活記録欄が記入された用紙の上部に、当該用紙を壁掛けするための開口を設け、開口が劣化しないよう穴強化金具を取付けたことを特徴とする請求項１乃至４の何れか一記載の育児用生活リズムカレンダー。
【請求項６】
乳児の誕生から翌年の誕生日までの日数分の前記一日生活記録欄を備えていることを特徴とする請求項１乃至５の何れか一記載の育児用生活リズムカレンダー。
【発明の詳細な説明】
【技術分野】
【０００１】  本発明は、乳児の生活リズムを記録するとともに、母親が乳児の生活リズムを容易に視認することを可能とする育児用生活リズムカレンダーに関する。
【背景技術】
【０００２】  従来、乳児の育児情報を記録するための育児用カレンダーとしては、特許文献１、２に記載のものが公知である。【０００３】  特許文献１に記載の育児用カレンダーは、カレンダー機能付き時計の一種であり、新生児の出生の日時をセットすると、新生児の出生児からの経過時間が表示されるようにしたものである。これにより、乳児の黄疸等の現れる生後時間を把握することが可能となる。【０００４】  また、特許文献２には、誕生月から翌年の誕生月までの１３ヶ月分の月刊日割表と、月齢ごとの育児情報表示、記録欄とを、誕生月から初めて各月ごとに順次見開き２ページに配置することにより一纏めにしたカレンダー本体と、育児に関する行事、予定、メモ等を表記し、カレンダー本体における日割表または育児情報表示、記録欄に貼付可能としたシールからなる育児用カレンダーが記載されている。【０００５】  図５は、特許文献２に記載の育児用カレンダーの見開き２ページを表した図である。カレンダー本体１０１の見開き２ページには、一方のページに日割表表示欄１０３、他方のページに育児情報表示、記録欄１０４が設けられている。【０００６】  日割表表示欄１０３には日割表１０５が記載されている。日割表１０５は、各日に対応して四角形のマス目が設けられている。これらのマス目は、各曜日に対応して列方向に配列されており、５列に配置されている。これらのマス目に出来事、行事、予定等の事項を文字や記号や図形で表記したシールを貼付する。これにより、「お誕生日」、「３ヶ月診断」、「ＢＣＧ接種」などの育児情報を記録していくようにされている。【０００７】  育児情報表示・記録欄１０４には、月齢表示欄１０６、情報表示欄１０７、情報記録欄１０８、アルバム欄１０９、及びメッセージ欄１１０が配置されている。情報記録欄１０８に、乳児の名前、生年月日、出生時の身長、体重等の情報を記録することができる。また、アルバム欄に写真、イラスト等を貼付することができ、メッセージ欄に我が子に対する親からのメッセージが記載される。
【特許文献１】  実開平６−８４３９２号公報
【特許文献２】  実開平４−１５５１０号公報
【発明の開示】
【発明が解決しようとする課題】
【０００８】  ところで、実際の育児においては、母親は、常時、乳児の睡眠時間や乳児の要求を推定し、それにあわせて乳児の世話をする必要がある。例えば、乳児が泣き始めた場合、母親は、乳児が空腹であることを訴えているのか、排尿・排便を訴えているのか、寝心地の悪さを訴えているのかなどを乳児の様子や現在の状況等から推定して、乳児の世話をする必要がある。また、乳児が睡眠に入ると、その間の時間帯に他の家事をこなすため、次に乳児がいつ頃目覚めるであろうか予測する必要がある。【０００９】  経験を積んだ母親や過去に育児を経験している祖母であれば、このような乳児の世話を比較的手際よくこなすことが可能である。しかしながら、初めて育児を行う母親は、乳児の世話をする際に、乳児の要求を的確に把握することができず、とまどってしまう場合が多い。【００１０】  そこで、もし、母親が乳児の生活リズムを把握することができたならば、経験の少ない母親であっても育児負担が多少は軽減されると考えられる。例えば、１日何時間程度睡眠するか把握できれば、就寝時刻から次に起きるまでの間は他の家事を行うことができる。また、１日のうちの排便・排尿の時刻がおよそ把握できれば、乳児が泣き出した場合でも手際よく対処することができる。【００１１】  しかしながら、上記従来の育児用カレンダーでは、乳児の生活リズムをわかりやすく記入することができず、容易に視認することができない。また、漠然としたものや、無駄なものが多く書かれているため、母親自身が記録しようとしても、空白のページが多く生じたり、反対に多く記入したいと思っていても記入する欄が少ないため使用しづらい場合が生じる。また、就寝時間や排便、排尿時刻等の乳児が誕生してからの生活リズムを記入したとしても、それを視覚的に容易に認識できない。【００１２】  そこで、本発明の解決しようとする課題は、乳児の生活リズムを手軽に追記していくことが可能であるとともに、記入した乳児の生活リズムを視覚的に容易に把握することが可能な育児用生活リズムカレンダーを提供することにある。
【課題を解決するための手段】
【００１３】  本発明の育児用生活リズムカレンダーの第１の構成は、乳児の生活パターンを記録するための育児用生活リズムカレンダーであって、日付を記入する日付記入部及び横軸を１日分の時間軸とし単位時間ごとのマス目に区画された生活パターン記入部からなる一日生活記録欄が、前記時間軸を揃えて複数欄、用紙内に縦方向に配列されており、前記各一日生活記録欄は、乳児の睡眠時間帯を記入する睡眠時間記入行、乳児の授乳時刻を記入する授乳時刻記入行、及び乳児の排泄時刻を記入する排泄時刻記入行を備えていることを特徴とする。【００１４】  この構成により、時間軸を揃えて一日生活記録欄が縦方向に配置されているので、各行（睡眠時間記入行、授乳時刻記入行、及び排泄時刻記入行に毎日、睡眠時間帯、授乳時刻、及び時刻をマークしていくことにより、乳児の生活パターンがカレンダー上に図形的に現される。従って、母親は乳児の生活リズムを視覚的に容易に認識することができるようになる。【００１５】  本発明の育児用生活リズムカレンダーの第２の構成は、前記第１の構成において、前記排泄時刻記入行は、乳児の排尿時刻を記入する排尿時刻記入行、及び乳児の排便時刻を記入する排便時刻記入行からなることを特徴とする。【００１６】  このように排泄時刻記入行を排尿時刻記入行と排便時刻記入行とに分けることで、乳児の排尿時間と排便時間のリズムをより的確に捉えることができる。【００１７】  本発明の育児用生活リズムカレンダーの第３の構成は、前記第１又は２の構成において、１つの用紙又は見開き２ページ内に、少なくとも１５欄分の前記一日生活記録欄が、前記時間軸を揃えて用紙内に縦方向に配列されていることを特徴とする。【００１８】  少なくとも半月分、乳児の一日生活記録欄に乳児の睡眠時間帯、授乳時刻、排尿時刻、及び排便時刻を記録すれば、乳児の生活リズムのパターンが明確になる。従って、少なくとも１５欄分の前記一日生活記録欄を１つの用紙又は見開き２ページ内に配列しておくことにより、乳児の生活リズムの傾向を確実につかむことができる。【００１９】  本発明の育児用生活リズムカレンダーの第４の構成は、前記第１乃至３の何れか一の構成において、前記一日生活記録欄の単位時間ごとのマス目内には、当該マスに対応する時刻が記載されていることを特徴とする。【００２０】  この構成により、時間単位毎での乳児の睡眠、授乳、排尿、排便が記録ができ、時間単位毎の乳児の様子を確実に認識できる。【００２１】  本発明の育児用生活リズムカレンダーの第５の構成は、前記第１乃至４の何れか一の構成において、前記複数欄の一日生活記録欄が記入された用紙の上部に、当該用紙を壁掛けするための開口を設けたことを特徴とする。【００２２】  この構成により、わざわざ本を取り出し、目的の頁を開く手間が省けるため、容易に乳児の生活リズムを記録することが可能である。【００２３】  本発明の第６の構成は、前記第１乃至第５の何れか一の構成において、乳児の誕生から翌年の誕生日までの日数分の前記一日生活記録欄を備えていることを特徴とする。【００２４】  この構成により、乳児の誕生から翌年の誕生日までの生活リズムを記入できることができ、乳児が人生の中で最も成長や変化が著しく、何事にも目新しくかわいらしい乳児の行動をこのカレンダーに記録できる。
【発明の効果】
【００２５】  以上のように、本発明によれば、初めて育児をする母親が、乳児の生活パターンを容易に認識することができるため、乳児の意志の推察が容易となる。また、生活リズムカレンダーを見ることによって、乳児の生活リズムの予測が容易となるため、母親が休憩をとる時間などを計画することができ、育児負担が緩和され、育児が楽しめる。【００２６】  また、乳児の生活リズムの傾向を確実につかむことによって、乳児の体の異変（例えば便秘や母乳不足や発熱）などを早期に発見することが可能となり、それらの異変に対して素早く対応できる。【００２７】  また、時間単位毎の乳児の様子を認識できることにより、乳児が一日のうちの、だいたいどの時間にどんなことをしているかを容易に把握することが可能である。【００２８】  また、壁掛けするための開口を設けたことによって、わざわざ本を取り出し、目的の頁を開く手間が省けるため、時間の無駄や手間が省け、容易に乳幼児の生活リズムを記録できることで、母親がわずらわしさを感じることなく、長く続けることができる。【００２９】  さらに、乳児の誕生から翌年の誕生日までの生活リズムを記入できることによって、その後母親が、二人目、三人目を出産した際に、一人目の際記録した育児用生活リズムカレンダーを見ることによって、子育ての参考になる。また、保管できるため、乳児がその先、成人を迎えた時、結婚した時、子供ができた時などの人生の節目にプレゼントすることができる。
【発明を実施するための最良の形態】
【００３０】  以下、本発明を実施するための最良の形態について、図面を参照しながら説明する。
【実施例１】
【００３１】  図１は本発明の実施例１の育児用生活リズムカレンダーの全体の外観図、図２は本発明の実施例１の育児用生活リズムカレンダーの見開き２ページの全体図、図３は一日生活記録欄の拡大図、図４は育児用生活リズムカレンダーの見開き頁への記録方法を説明する図である。【００３２】  図１〜４においては、育児用生活リズムカレンダー１は、用紙内に縦方向に時間軸を揃えて、一日生活記録欄２が複数欄配列されている。一日生活記録欄２は、日付記入部３、フリーメモ及び毎日の体温を記入するメモ欄４、及び生活パターン記入部５からなる。日付記入部３は、日付を記入する部分である。生活パターン記入部５は、横軸を１日分の時間軸とし単位時間ごとの２４個のマス目に区画されている。【００３３】  各一日生活記録欄２は、睡眠時間記入行６、授乳時刻記入行７、排尿時刻記入行８、及び排便時刻記入行９を備えている。睡眠時間記入行６は、乳児の睡眠時刻を記入していく時間単位毎のマス目欄である。授乳時刻記入行７は、乳児に授乳した時刻を記入していく時間単位毎のマス目欄である。排尿時刻記入行８は、排尿時刻を記入していく時間単位毎のマス目欄である。排便時刻記入行９は、排便時刻を記入していく時間単位毎のマス目欄である。【００３４】  一日生活記録欄２の各行（睡眠時間記入行６、授乳時刻記入行７、排尿時刻記入行８、及び排便時刻記入行９）の単位時間ごとのマス目内には、当該マスに対応する時刻が薄い色で記載されている。これにより、そのマス目に対応する時刻が一目でわかる。【００３５】  また、育児用生活リズムカレンダー１の見開き２ページには、１５日分（１欄が１日分）の一日生活記録欄２が、時間軸を揃えて用紙内に縦方向に配列されている。さらに、育児用生活リズムカレンダー１の上部中央には、当該育児用生活リズムカレンダー１を壁掛けするための開口１０が設けられており、前記開口１０の縁は穴強化金具１１により補強されている。【００３６】  以上のように構成された本実施例の育児用生活リズムカレンダー１について、以下、その使用方法を説明する。【００３７】  乳児が誕生後、育児用生活リズムカレンダー１を開き、自宅などの壁に開口１０をピンなどで止める。そして、誕生してからの日付を日付記入部３に記入する。【００３８】  育児中に乳児が排便した際には、排便時刻記入行９の排便した時刻のマス目に、鉛筆やペンなどで○を記載する。また、排便量が少なければ△などのマークを記入する。睡眠時刻記入行６、授乳時刻記入行７、排尿時刻記入行８も同様に記入していく。【００３９】  このようにして、少なくとも半月分、乳児の一日生活記録欄２の各行（睡眠時間記入行６、授乳時刻記入行７、排尿時刻記入行８、及び排便時刻記入行９）に、毎日、睡眠時間帯、授乳時刻、排尿時刻、及び排便時刻を記録していけば、乳児の生活リズムのパターンが明確になる。また、図４に示したように、時間軸を揃えて一日生活記録欄２が縦方向に配置されているので、乳児の生活パターンがカレンダー上に図形的に現される。従って、母親は乳児の生活リズムを視覚的に容易に認識し、生活リズムの傾向を確実につかむことができる。【００４０】  その結果、初めて育児をする母親であっても、乳児の意志の���察が容易となる。また、生活リズムカレンダーを見ることによって、乳児の生活リズムの予測が容易となるため、母親が休憩をとる時間などを計画することができ、育児負担が緩和されて余裕が生まれ、育児を楽しむことができる。【００４１】  尚、本実施例においては、育児用生活リズムカレンダー１の見開き２ページには、見やすさや使いやすさの点から、１６日分の一日生活記録欄２を配列しているが、本発明では１６日分に限るものではなく、例えば、見開き２ページに１５日分（半月分）又は３０日分（１ヶ月分）の一日生活記録欄２を配列してもよい。【００４２】  また、育児用生活リズムカレンダー１は、必ずしもノート状に編纂する必要はなく、例えば、１枚の用紙に１５日分の一日生活記録欄２を配列して、いっぱいになると順次新しいものを貼り替えるように構成してもよい。
【図面の簡単な説明】
【００４３】
【図１】  本発明の実施例１の育児用生活リズムカレンダーの全体の外観図である。
【図２】  本発明の実施例１の育児用生活リズムカレンダーの見開き２ページの全体図である。
【図３】  一日生活記録欄の拡大図である。
【図４】  育児用生活リズムカレンダーの見開きページへの記録方法を説明する図である。
【図５】  特許文献２に記載の育児用カレンダーの見開き２ページを表した図である。
【符号の説明】
【００４４】  １    育児用生活リズムカレンダー
２    一日生活記録欄
３    日付記入部
４    メモ欄
５    生活パターン記入部
６    睡眠時間記入行
７    授乳時刻記入行
８    排尿時刻記入行
９    排便時刻記入行
１０  開口
１１  穴強化金具
【図１】
2007008141.tif 000003
【図２】
2007008141.tif 000004
【図３】
2007008141.tif 000005
【図４】
2007008141.tif 000006
【図５】
2007008141.tif 000007